(57)【要約】【課題】この発明は、ブラシアッセンブリの取付時のブラシバネの倒れを抑えて、ブラシアッセンブリのブラシホルダへの取付作業性を向上させることができる回転電機およびブラシアッセンブリの取付方法を得る。【解決手段】ブラシアッセンブリ２４は、ブラシ２１とブラシターミナル２５とがピグテール２６を介して連結され、ブラシバネ２７がブラシ２１とブラシターミナル２５との間に縮設され、円筒状のガイド５０がブラシバネ２７内のブラシターミナル２５側に配設されて構成されている。【選択図】　　　　図７
2004023812.tif 000002
【特許請求の範囲】
【請求項１】
ケースと、このケースに両端を回転自在に支持されたシャフトと、このシャフトに固定され、上記ケース内に回転自在に配設された回転子と、上記シャフトに固定されたスリップリングと、上記回転子を囲繞するように上記ケースに固定された固定子と、ブラシ挿入穴が貫通して設けられ、ターミナルが該ブラシ挿入穴の開口縁部に設けられ、かつ、蓋が頭部に装着され、該ブラシ挿入穴の穴方向を上記シャフトの軸方向と直交するように上記ケース内に配設されたブラシホルダと、上記ブラシホルダに装着されたブラシアッセンブリと、上記蓋と対向する上記ケースの部位に形成された開口部と、上記開口部を塞口するキャップとを備えた回転電機において、
上記ブラシアッセンブリは、ブラシとブラシターミナルとがピグテールを介して連結され、ブラシバネが上記ブラシと上記ブラシターミナルとの間に縮設され、かつ、上記ブラシバネの伸縮を案内するガイド部材が上記ブラシバネの内部に配設されて構成され、
上記ブラシが上記ブラシ挿入穴内に収納され、上記ブラシターミナルが上記ターミナルに固定されて、上記ブラシが上記ブラシバネの付勢力により上記スリップリングに当接していることを特徴とする回転電機。
【請求項２】
上記ガイド部材は、上記ピグテールを内部に通してその一端を上記ブラシターミナルに接するように配設された円筒状の第１ガイドを備えていることを特徴とする請求項１記載の回転電機。
【請求項３】
上記第１ガイドは、内径が一端から他端に向かって漸次大きくなるように形成されていることを特徴とする請求項２記載の回転電機。
【請求項４】
上記第１ガイドは、スリットが一端から他端に至るように形成された断面Ｃ状に構成されていることを特徴とする請求項２記載の回転電機。
【請求項５】
上記ガイド部材は、上記ピグテールを内部に通してその一端を上記ブラシに接するように配設された第２ガイドを備えていることを特徴とする請求項２記載の回転電機。
【請求項６】
上記第１ガイドの内径が上記第２ガイドの外径より大径に形成されていることを特徴とする請求項５記載の回転電機。
【請求項７】
上記第１および第２ガイドは、一端側から他端に至るように形成されたスリットが周方向に複数形成され、上記ブラシバネの収縮状態で、該第２ガイドのスリット間に形成された各舌片が該第１ガイドの各スリットに挿入され、かつ、該第１ガイドのスリット間に形成された各舌片が該第２ガイドの各スリットに挿入されるように配設されていることを特徴とする請求項５記載の回転電機。
【請求項８】
上記ガイド部材は、径の異なる複数のガイドを径の大きい順に配列・連結して伸縮自在に構成され、最大径のガイドを上記ブラシターミナルおよび上記ブラシの一方に接するように、かつ、最小径のガイドを上記ブラシターミナルおよび上記ブラシの他方に接するように上記ブラシターミナルと上記ブラシとの間に配設されていることを特徴とする請求項１記載の回転電機。
【請求項９】
上記ブラシターミナルが磁化されたねじにより上記ターミナルに締着固定されていることを特徴とする請求項１乃至請求項８のいずれか１項に記載の回転電機。
【請求項１０】
ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、
上記ブラシと上記ブラシターミナルとの距離を縮めて上記ブラシバネを所定長さの収縮状態とする工程と、
上記ブラシバネを所定長さの収縮状態に維持して、上記ブラシを上記ブラシホルダのブラシ挿入穴に挿入する工程と、
上記ブラシターミナルを上記ブラシホルダのターミナルに固定した後、上記ブラシバネの所定長さの収縮状態を解く工程と
を備えたことを特徴とするブラシアッセンブリのブラシホルダへの取付方法。
【請求項１１】
上記ブラシと上記ブラシターミナルとを紐で結んで上記ブラシバネの所定長さの収縮状態を維持するようにしたことを特徴とする請求項１０記載のブラシアッセンブリのブラシホルダへの取付方法。
【請求項１２】
上記ブラシターミナルは穴および該穴の縁部に起立した接合片を有し、上記ピグテールの一端が上記ブラシ側から穴を通して折り返され、該ブラシ側に向けて上記接合片に接合されており、上記ピグテールの一端側を上記ブラシターミナルの上記穴から引っ張り出して上記ブラシバネを所定長さの収縮状態にすることを特徴とする請求項１０又は請求項１１記載のブラシアッセンブリのブラシホルダへの取付方法。
【請求項１３】
上記ブラシバネの収縮を案内するガイド部材が上記ブラシバネ内部に配設されていることを特徴とする請求項１０乃至請求項１２のいずれか１項に記載のブラシアッセンブリのブラシホルダへの取付方法。
【請求項１４】
ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、
上記ピグテールが張設された状態の上記ブラシアッセンブリの上記ピグテールと上記ブラシバネとの間にガイド部材を挿入する工程と、
上記ブラシを上記ブラシホルダのブラシ挿入穴に挿入する工程と、
上記ガイド部材を案内にして上記ブラシターミナルを押圧し、該ブラシターミナルを上記ブラシホルダのターミナルに当接させた後、該ブラシターミナルを該ブラシホルダのターミナルに固定する工程と
を備えたことを特徴とするブラシアッセンブリのブラシホルダへの取付方法。
【発明の詳細な説明】
【０００１】
【発明の属する技術分野】
この発明は、例えば車両用交流発電機等の回転電機に関し、特にブラシアッセンブリの取付性を向上できる回転電機のブラシアッセンブリ構造およびブラシアッセンブリのブラシホルダへの取付方法に関するものである。
【０００２】
【従来の技術】
一般に、回転電機、例えば車両用交流発電機においては、ブラシ保持装置が密閉型のケース内に内蔵されており、ブラシ交換時には、ケースを分解する必要があり、極めて作業性が悪かった。
そこで、ブラシ保持装置に相対したケースの部位に開口を設け、該開口からブラシを交換できるようにした車両用交流発電機が、例えば特開昭５１−６６４０９号公報に提案されている。
【０００３】
図２７および図２８はそれぞれ例えば特開昭５１−６６４０９号公報に記載された従来の車両用交流発電機のブラシ保持装置周りを示す縦断面図および平面図、図２９は図２７および図２８に示されるブラシ保持装置に適用されるブラシアッセンブリを示す斜視図である。
【０００４】
図２７乃至図２９において、回転子８１は、軸受８３を介してフロントブラケット（図示せず）とリヤブラケット８４ａとに回転自在に支持されたシャフト８２に固着されて、フロントブラケットとリヤブラケット８４ａとからなるケース８４内に配設されている。そして、シャフト８２のリヤ側端部には、スリップリング８５が装着されている。
固定子８６は、円筒状の固定子鉄心８７と、固定子鉄心８７に巻装された固定子巻線８８とから構成され、固定子鉄心８７の両端部をフロントブラケットとリヤブラケット８４ａとに挟持されて、回転子８１を囲繞するように配設されている。
【０００５】
ブラシ保持装置８９は、一対のブラシ収納角穴９０ａが穿設されたブラシ本体部９０と、ブラシ９１、ピグテール９２、ブラシバネ９３およびブラシターミナル９４が一体に組み立てられた一対のブラシアッセンブリ９５とから構成されている。このブラシ保持装置８９は、ブラシ本体部９０をリヤブラケット８４ａの端部の内壁面にねじ９６により締着固定され、各ブラシアッセンブリ９５のブラシ９１をブラシ収納角穴９０ａに挿入し、ブラシターミナル９４をブラシ本体部９０にねじ９７により締着固定して、リヤブラケット８４ａに取り付けられている。これにより、ブラシ９１が、ブラシバネ９３に付勢されてスリップリング８５に当接している。
さらに、ブラシ本体部９０と相対するリヤブラケット８４ａの側壁の部位にブラシ交換用の開口９８が穿設されている。そして、カバー９９が開口９８を塞口するようにリヤブラケット８４ａの側壁の外周面にねじ１００により締着固定されている。
【０００６】
このように構成された従来の車両用交流発電機のブラシ交換作業について説明する。
まず、ねじ１００を取り外し、カバー９９を取り外す。そこで、ねじ９７を取り外し、ブラシアッセンブリ９５を開口９８から引き出す。ついで、新しいブラシアッセンブリ９５のブラシ９１をブラシ収納角穴９０ａに挿入し、ブラシターミナル９４をブラシ本体部９０の取付用ターミナル９０ｂに当接するまでスリップリング８５側に押圧する。この時、ブラシバネ９３は収縮し、ピグテール９２は撓んだ状態で絡み合いながらブラシバネ９３内に納まっている。そして、ブラシバネ９３を押圧しながらブラシターミナル９４をねじ８６によりブラシ本体部９０の取付用ターミナル９０ｂに締着固定する。さらに、カバー９９を開口９８に被せ、ねじ１００によりカバー９９をリヤブラケット８４ａに締着固定し、ブラシ９１の交換が完了する。
【０００７】
【発明が解決しようとする課題】
従来の車両用交流発電機においては、ブラシアッセンブリ９５は、一端がブラシ９１に接合されたピグテール９２をコイル状に成形されたブラシバネ９３内に通し、ブラシバネ９３を収縮させた状態でピグテール９２の他端をブラシターミナル９４に接合して組み立てられている。そこで、ブラシバネ９３は曲げ方向に関して何ら拘束されていないので、ブラシ９１をブラシ収納角穴９０ａに挿入した後ブラシターミナル９４を押圧する過程で、ピグテール９２の撓み分がブラシバネ９３に噛み込まれ、あるいはブラシバネ９３に曲げ力を付与し、ブラシバネ９３の折れ曲がりを生じさせる。さらに、収縮するブラシバネ９３を案内する部材がないので、ブラシバネ９３に作用する押圧力のバランスが崩れると、ブラシバネ９３は折れ曲がってしまう。
従って、ブラシターミナル９４を押圧する過程で、ブラシ収納角穴９０ａから延出するブラシバネ９３の部分が曲がって倒れてしまうので、ブラシアッセンブリ９５のブラシ本体部９０への取付作業性が悪化してしまう、という課題があった。
【０００８】
この発明は、上記のような課題を解決するためになされたもので、ブラシバネの収縮を案内するとともにブラシバネの収縮過程で生じるピグテールの撓み分を内部に収納するガイド部材をブラシバネ内部に配設し、ブラシアッセンブリの取付時のブラシバネの倒れやピグテールの撓み分のブラシバネへの噛み込みを抑えて、ブラシアッセンブリのブラシホルダへの取付作業性を向上させることができる回転電機を得ることを目的とする。
また、ブラシバネを所定長さの圧縮状態に維持してブラシをブラシホルダのブラシ挿入穴に挿入するようにして、ブラシアッセンブリのブラシホルダへの取付時におけるブラシバネの倒れを防止し、取付作業性を向上できるラシアッセンブリのブラシホルダへの取付方法を得ることを目的とする。
さらに、ブラシアッセンブリのブラシがブラシホルダのブラシ挿入穴に挿入された状態で、ガイド部材を案内にしてブラシバネを収縮させ、ブラシアッセンブリのブラシホルダへの取付時におけるブラシバネの倒れを防止し、取付作業性を向上できるラシアッセンブリのブラシホルダへの取付方法を得ることを目的とする。
【０００９】
【課題を解決するための手段】
この発明は、ケースと、このケースに両端を回転自在に支持されたシャフトと、このシャフトに固定され、上記ケース内に回転自在に配設された回転子と、上記シャフトに固定されたスリップリングと、上記回転子を囲繞するように上記ケースに固定された固定子と、ブラシ挿入穴が貫通して設けられ、ターミナルが該ブラシ挿入穴の開口縁部に設けられ、かつ、蓋が頭部に装着され、該ブラシ挿入穴の穴方向を上記シャフトの軸方向と直交するように上記ケース内に配設されたブラシホルダと、上記ブラシホルダに装着されたブラシアッセンブリと、上記蓋と対向する上記ケースの部位に形成された開口部と、上記開口部を塞口するキャップとを備えた回転電機において、上記ブラシアッセンブリは、ブラシとブラシターミナルとがピグテールを介して連結され、ブラシバネが上記ブラシと上記ブラシターミナルとの間に縮設され、かつ、上記ブラシバネの伸縮を案内するガイド部材が上記ブラシバネの内部に配設されて構成され、上記ブラシが上記ブラシ挿入穴内に収納され、上記ブラシターミナルが上記ターミナルに固定されて、上記ブラシが上記ブラシバネの付勢力により上記スリップリングに当接しているものである。
【００１０】
また、上記ガイド部材は、上記ピグテールを内部に通してその一端を上記ブラシターミナルに接するように配設された円筒状の第１ガイドを備えているものである。
【００１１】
また、上記第１ガイドは、内径が一端から他端に向かって漸次大きくなるように形成されているものである。
【００１２】
また、上記第１ガイドは、スリットが一端から他端に至るように形成された断面Ｃ状に構成されているものである。
【００１３】
また、上記ガイド部材は、上記ピグテールを内部に通してその一端を上記ブラシに接するように配設された第２ガイドを備えているものである。
【００１４】
また、上記第１ガイドの内径が上記第２ガイドの外径より大径に形成されているものである。
【００１５】
また、上記第１および第２ガイドは、一端側から他端に至るように形成されたスリットが周方向に複数形成され、上記ブラシバネの収縮状態で、該第２ガイドのスリット間に形成された各舌片が該第１ガイドの各スリットに挿入され、かつ、該第１ガイドのスリット間に形成された各舌片が該第２ガイドの各スリットに挿入されるように配設されているものである。
【００１６】
また、上記ガイド部材は、径の異なる複数のガイドを径の大きい順に配列・連結して伸縮自在に構成され、最大径のガイドを上記ブラシターミナルおよび上記ブラシの一方に接するように、かつ、最小径のガイドを上記ブラシターミナルおよび上記ブラシの他方に接するように上記ブラシターミナルと上記ブラシとの間に配設されているものである。
【００１７】
また、上記ブラシターミナルが磁化されたねじにより上記ターミナルに締着固定されているものである。
【００１８】
また、この発明は、ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、上記ブラシと上記ブラシターミナルとの距離を縮めて上記ブラシバネを所定長さの収縮状態とする工程と、上記ブラシバネを所定長さの収縮状態に維持して、上記ブラシを上記ブラシホルダのブラシ挿入穴に挿入する工程と、上記ブラシターミナルを上記ブラシホルダのターミナルに固定した後、上記ブラシバネの所定長さの収縮状態を解く工程とを備えたものである。
【００１９】
また、上記ブラシと上記ブラシターミナルとを紐で結んで上記ブラシバネの所定長さの収縮状態を維持するようにしたものである。
【００２０】
また、上記ブラシターミナルは穴および該穴の縁部に起立した接合片を有し、上記ピグテールの一端が上記ブラシ側から穴を通して折り返され、該ブラシ側に向けて上記接合片に接合されており、上記ピグテールの一端側を上記ブラシターミナルの上記穴から引っ張り出して上記ブラシバネを所定長さの収縮状態にするものである。
【００２１】
また、上記ブラシバネの収縮を案内するガイド部材が上記ブラシバネ内部に配設されているものである。
【００２２】
また、この発明は、ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、上記ピグテールが張設された状態の上記ブラシアッセンブリの上記ピグテールと上記ブラシバネとの間にガイド部材を挿入する工程と、上記ブラシを上記ブラシホルダのブラシ挿入穴に挿入する工程と、上記ガイド部材を案内にして上記ブラシターミナルを押圧し、該ブラシターミナルを上記ブラシホルダのターミナルに当接させた後、該ブラシターミナルを該ブラシホルダのターミナルに固定する工程とを備えたものである。
【００２３】
【発明の実施の形態】
以下、この発明の実施の形態を図について説明する。
実施の形態１．
図１はこの発明の実施例１に係る車両用交流発電機を示す縦断面図、図２はこの発明の実施例１に係る車両用交流発電機の内部のリヤブラケット側を示す一部破断平面図、図３はこの発明の実施例１に係る車両用交流発電機に適用されるブラシ保持装置の蓋取り外し状態を示す平面図、図４はこの発明の実施例１に係る車両用交流発電機に適用されるブラシ保持装置を示す平面図、図５はこの発明の実施例１に係る車両用交流発電機に適用されるブラシ保持装置を示す一部破断正面図、図６はこの発明の実施例１に係る車両用交流発電機に適用されるブラシ保持装置のブラシアッセンブリを示す正面図、図７はこの発明の実施例１に係る車両用交流発電機に適用されるブラシ保持装置のブラシアッセンブリの未挿入状態を示す一部破断側面図、図８はこの発明の実施例１に係る車両用交流発電機に適用されるブラシ保持装置のブラシアッセンブリの挿入状態を示す一部破断側面図、図９はこの発明の実施例１に係る車両用交流発電機に適用されるブラシアッセンブリに装着されるガイドを示す断面図、図１０はこの発明の実施例１に係る車両用交流発電機に適用されるキャップを示す平面図、図１１は図１０に示されるキャップをＡ方向から見た側面図、図１２は図１０に示されるキャップをＢ方向から見た側面図、図１３はこの発明の実施例１に係る車両用交流発電機のリヤブラケットのキャップ装着状態を示す斜視図、図１４はこの発明の実施例１に係る車両用交流発電機のリヤブラケットのキャップ取り外し状態を示す斜視図である。
【００２４】
各図において、この車両用交流発電機は、それぞれ略椀形状に作製されたアルミニウム製のフロントブラケット１およびリヤブラケット２から構成されたケース３と、ケース３内に回転自在に設けられ、一端部にプーリ４が固定されたシャフト６と、このシャフト６に固定されたランドル型の回転子７と、この回転子７を囲繞するように両ブラケット１、２に挟持されてケース３に取り付けられた固定子８と、回転子７の両端部にそれぞれ固定されたファン５と、シャフト６の他端部にシャフト６の軸方向に並置して固定され、回転子７に電流を供給する一対のスリップリング９と、各スリップリング９の表面を摺動する一対のブラシ２１がブラシホルダ２２内に収納されてなるブラシ保持装置２０と、固定子８に電気的に接続され、固定子８で生じた交流を直流に整流する整流器１０と、ブラシホルダ２２に嵌着されて、固定子８で生じた交流電圧の大きさを調整するレギュレータ１１とを備えている。
【００２５】
ブラシホルダ２２は、ＰＰＳ（ポリフェニレンサルファイド）等の樹脂で作製されている。そして、一対の角形のブラシ挿入穴２２ａがブラシホルダ２２を貫通するように並設され、電源であるバッテリ（図示せず）と電気的に接続されるターミナル２３が各ブラシ挿入穴２２ａの開口縁部に露出するようにブラシホルダ２２に一体に形成されている。各ターミナル２３には、穴方向をブラシ挿入穴２２ａの穴方向と一致するねじ穴２３ａが設けられている。
ブラシアッセンブリ２４は、ピグテール２６がその両端をブラシ２１とブラシターミナル２５とに接合され、コイル状に成形されたブラシバネ２７がピグテール２６を内包するようにブラシ２１とブラシターミナル２５との間に縮設され、ガイド部材としてのガイド５０がブラシバネ２７内のブラシターミナル２５側に配設されて構成されている。ブラシターミナル２５は、ブラシ挿入穴２２ａおよびターミナル２３を覆う形状の金属板であり、ねじ穴２３ａに対応する位置に固定用の穴２５ａが穿設され、金属板の一部を切り起こしてなる接合片としての切り起こし片２５ｂがブラシ挿入穴２２ａの穴中心に対応する位置に形成されている。また、穴２５ｃは切り起こし片２５ｂを切り起こすことで形成されたものである。そして、ピグテール２６の一端が切り起こし片２５ｂに接合されている。ガイド５０は、ナイロン（ｄｕ　Ｐｏｎｔ社の商標名）により作製され、円筒部５０ａと、円筒部５０ａの一端外周に延設された環状の鍔部５０ｂとから構成されている。この円筒部５０ａは、肉厚が他端から一端に向かって徐々に厚くなるように形成されている。即ち、貫通穴５０ｃが、円筒部５０ａの軸心位置に、他端に向かって口開き状に構成されている。そして、鍔部５０ｂがブラシバネ２７とブラシターミナル２５との間に挟持され、ブラシバネ２７の付勢力により弾性支持されて取り付けられている。
【００２６】
そして、このブラシアッセンブリ２４が、ブラシ２１をブラシ挿入穴２２ａ内に挿入し、ブラシターミナル２５の穴２５ａをターミナル２３のねじ穴２３ａに一致させ、ブラシ２１の軸方向外方から穴２５ａに通されたねじ２８をねじ穴２３ａに締着固定してブラシホルダ２２に取り付けられて、ブラシ保持装置２０を構成している。そして、内壁面にパッキン（図示せず）を備えた蓋２９が、ブラシホルダ２２の頭部にブラシ２１の軸方向外方から嵌着されて、ターミナル２３とブラシターミナル２５との締着部およびブラシ挿入穴２２ａを外部から遮断してブラシ保持装置２０の防水性を確保している。なお、ねじ２８は磁化されている。
【００２７】
このブラシ保持装置２０は、一対のブラシ２１がシャフト６の軸方向に並び、かつ、ブラシ２１の軸方向がシャフト６の軸方向と直交するようにリヤブラケット２に取り付けられる。これにより、各ブラシ２１がブラシバネ２７の付勢力によりスリップリング９にそれぞれ押し当てられ、シャフト６の回転によりスリップリング９上を摺動する。また、ブラシホルダ２２が、径方向にリヤブラケット２の側部内壁面の近傍まで延びている。そして、ブラシ交換用の開口部３０が、ブラシ２１の軸方向外方（径方向外方）で、ブラシ保持装置２０の蓋２９に対向するリヤブラケット２の側部の部位に矩形に形成されている。
【００２８】
整流器１０は、シャフト６の軸方向と直交する平面上で、周方向でブラシ保持装置２０と重なるようにリヤブラケット２に取り付けられている。また、レギュレータ１１は、電子部品が実装された回路基板１１ａをヒートシンク１１ｂに固着して構成されている。そして、レギュレータ１１は、回路基板１１ａをブラシホルダ２２の回路収納部２２ｂ内に収納するように、ヒートシンク１１ｂをブラシホルダ２２に嵌着して取り付けられている。これにより、レギュレータ１１のヒートシンク１１ｂがリヤブラケット２の端部内壁面に対向している。
【００２９】
リヤブラケット２の開口部３０には、一対の側壁３１が相対して、かつ、シャフト６の軸方向と平行に形成されている。そして、一対の側壁３１の相対する内壁面にシャフト６の軸方向と平行な溝３１ａが形成されている。なお、開口部３０の前端壁の上面は側壁３１の溝３１ａの下面と同一面位置となっており、フロントブラケット１側に位置する後端壁の上面は側壁３１の上面とほぼ同一面位置となっている。
【００３０】
キャップ４０は、ＰＢＴ（ポリブチレンテレフタレート）樹脂で作製され、略箱形に形成された本体部４１と、本体部４１の一端から延設された取っ手４２と、本体部４１の両側部からそれぞれ延設された鍔部４３と、本体部４１の内壁面に突設された突起部４４と、本体部４１の内壁面の一端側に突設された外れ防止用の係合部４５とから構成されている。このキャップ４０は、取っ手４２を持って、鍔部４３を溝３１ａに嵌め込み、ついで本体部４１の他端部が開口部３０の後端面３０ｂに当接するまでスライドさせ、その後係合部４５を開口部３０の前端面３０ａに弾性係合させて、開口部３０に取り付けられる。これにより、開口部３０がキャップ４０により塞口される。そして、突起部４４が蓋２９の上面を径方向内方に押し付け、蓋２９のパッキンが圧縮される。
【００３１】
ついで、このように構成された車両用交流発電機におけるブラシ交換作業について説明する。
ブラシ２１の交換時には、まず取っ手４２を持って径方向（図１中上方向）に引き上げ、係合部４５と開口部３０の前端面３０ａとの弾性係合を解除した後、キャップ４０を開口部３０の前端側にスライド移動させて引き抜く。ついで、蓋２９を取り外した後、開口部３０からドライバを差し込み、ねじ２８の締着を緩めて取り外し、ブラシアッセンブリ２４をブラシ挿入穴２２ａから径方向外方に引き抜く。
そして、新たなブラシアッセンブリ２４のブラシ２１をブラシ挿入穴２２ａに差し込む。この状態では、ピグテール２６は、図７に示されるように、ブラシバネ２７の付勢力によりブラシ２１とターミナル２５と間に張設されている。
ついで、ブラシターミナル２５を径方向内方に押圧し、ブラシターミナル２５をターミナル２３に当接させる。この時、ブラシバネ２７は、ガイド５０の円筒部５０ａの外周面に案内されて収縮する。また、ピグテール２６は、ブラシバネ２７の収縮に伴って撓み、その撓み分が図８に示されるようにガイド５０の貫通穴５０ｃ内に納められる。
そこで、ブラシ２１の軸方向外方（径方向）からドライバで穴２５ａに通されたねじ２８をねじ穴２３ａに締着してブラシターミナル２５をターミナル２３に固定し、さらに蓋２９をブラシホルダ２２の頭部に嵌着する。ついで、キャップ４０を同様にして開口部３０に嵌め込んで、ブラシ２１の交換が完了する。
【００３２】
ここで、ガイド５０が装着されていない場合のブラシアッセンブリの装着について説明する。つまり、ブラシアッセンブリは、ピグテール２６がその両端をブラシ２１とブラシターミナル２５とに接合され、コイル状に成形されたブラシバネ２７がピグテール２６を内包するようにブラシ２１とブラシターミナル２５との間に縮設され構成されている。そこで、ブラシターミナル２５の押圧力のバランスが崩れると、図１５に示されるように、ブラシバネ２７の折れ曲がり、即ちブラシバネ２７の倒れが発生する。その結果、ブラシアッセンブリの装着性が悪化してしまう。さらに、ピグテール２６がブラシバネ２７の収縮に伴って撓み、ブラシバネ２７に噛み込まれる危険性がある。そして、ピグテール２６がブラシバネ２７に噛み込まれると、ピグテール２６の断線やブラシバネ２７の倒れを引き起こすことになる。
【００３３】
この実施の形態１によるブラシアッセンブリ２４では、ガイド５０がブラシバネ２７内のブラシターミナル２５側に配設されている。そこで、ブラシターミナル２５をブラシ２１側に押圧する過程で、ブラシバネ２７がガイド５０の円筒部５０ａの外周面に案内されて収縮するので、ブラシターミナル２５の押圧力のアンバランスがあっても、ブラシバネ２７の倒れが防止される。そして、ピグテール２６は、ブラシバネ２７の収縮に伴って撓み際に、その撓み分がガイド５０の貫通穴５０ｃ（円筒部５０ａ）内に納まるので、ピグテール２６がブラシバネ２７に噛み込まれることが抑制される。
従って、ブラシターミナル２５のブラシホルダ２２への装着性が向上されるとともに、ピグテール２６の断線の発生を防止することができる。
【００３４】
さらに、貫通穴５０ｃが、内径をブラシ２１側に向かって徐々に大きくするように（ブラシターミナル２５側に向かって徐々に小さくなるように）ガイド５０の円筒部５０ａの軸心位置に穿設されているので、ピグテール２６の撓み分が貫通穴５０ｃ内にスムーズに送り込まれて納められる。その結果、ピグテール２６がブラシバネ２７の収縮過程でブラシバネ２７に噛み込まれる危険性が著しく低減される。
また、ねじ２８が磁化されているので、ねじ２８の着脱時にねじ２８はドライバに磁気吸着され、ねじ２８のケース３内への落下が防止される。
【００３５】
また、この実施の形態１では、ブラシ保持装置２０が、ブラシ挿入穴２２ａの穴方向を径方向（シャフト６の軸方向と直交する方向）に一致させ、ブラシ挿入穴２２ａの開口をリヤブラケット２の側部内壁面に近接するように配設されている。そして、開口部３０がブラシ挿入穴２２ａに対向するリヤブラケット２の側部の部位に設けられている。また、ターミナル２３がブラシ挿入穴２２ａの開口縁部に露出するようにブラシホルダ２２に一体に形成され、穴方向を径方向とするネジ穴２３ａがターミナル２３に形成されている。
そこで、ブラシ挿入穴２２ａおよび開口部３０が径方向に重なり、かつ、ブラシアッセンブリ２４のブラシ挿入穴２２ａへの挿脱方向およびねじ２８の着脱方向が径方向に一致しているので、ブラシアッセンブリ２４およびねじ２８の着脱作業がケース３を分解することなく、開口部３０を用いて簡易に行え、ブラシ２１の交換作業性を向上させることができる。
また、ブラシホルダ２２がスリップリング９とリヤブラケット２に設けられた開口部３０との間の径方向寸法の全域にわたって配設されているので、ブラシ２１を長くすることができ、ブラシ２１の長寿命化が図られ、ブラシ交換頻度を低減することができる。
【００３６】
また、キャップ４０が鍔部４３を側壁３１の溝３１ａを案内にしてスライド式に装着されているので、キャップ４０を一方向に押す、あるいは引くだけでキャップ４０の着脱が行われ、ブラシ交換の作業性が向上される。
また、車両用交流発電機を車両に搭載した際に、車両用交流発電機の軸方向に空きスペースがある。そして、このキャップ４０のスライド方向がシャフト６の軸方向に一致しているので、キャップ４０の取り外しスペースが確保され、ブラシ交換の作業性がさらに向上される。
【００３７】
なお、上記実施の形態１では、鍔部４３を溝３１ａにスライド式に挿入し、係合部４５を開口部３０の前端面３０ａに弾性係合させてキャップ４０を開口部３０に固定するものとして説明しているが、キャップ４０の開口部３０への嵌め込み方法はこれに限定されるものではない。例えば、鍔部４３に突起を設け、かつ、溝３１ａの内壁面に凹部を設けて、キャップ４０の開口部３０への装着時に、突起を凹部に嵌め込んでキャップ４０を開口部３０に固定するようにしてもよい。
【００３８】
実施の形態２．
図１６はこの発明の実施の形態２に係る車両用交流発電機のブラシアッセンブリに適用されるガイドの構造を説明する図であり、図１６の（ａ）は断面図、図１６の（ｂ）は正面図である。
図１６において、ガイド部材としてのガイド５１は、ナイロン（ｄｕ　Ｐｏｎｔ社の商標名）により作製され、円筒部５１ａと、円筒部５１ａの一端外周に延設された環状の鍔部５１ｂとから構成されている。この円筒部５１ａは、肉厚が他端から一端に向かって徐々に厚くなるように形成されている。即ち、貫通穴５１ｃが、円筒部５１ａの軸心位置に、他端に向かって口開き状に構成されている。さらに、スリット５１ｄが軸方向の一端から他端に至るように円筒部５１ａの周壁に形成され、円筒部５１ａが断面Ｃ状に構成されている。そして、ガイド５１は、上記実施の形態１におけるガイド５０と同様に、鍔部５１ａがブラシバネ２７とブラシターミナル２５との間に介装され、ブラシバネ２７の付勢力により弾性支持されて取り付けられている。
なお、この実施の形態２は、ガイド５０に代えてガイド５１を用いている点を除いて、上記実施の形態１と同様に構成されている。
【００３９】
上記実施の形態１では、ガイド５０にスリットがないので、ピグテール２６の一端をブラシ２１に接合し、ピグテール２６の他端をブラシバネ２７内およびガイド５０の貫通穴５０ｂ内を通し、ブラシバネ２７およびガイド５０をブラシ２１側に押しながら、ピグテール２６の他端をブラシターミナル２５に接合して、ブラシアッセンブリ２４を組み立てている。そこで、ブラシバネ２７およびガイド５０の２部品をブラシ２１側に押しながら、ピグテール２６の他端をブラシターミナル２５に接合する必要があり、ブラシアッセンブリ２４の組み立て性を悪化させることにつながる。
【００４０】
この実施の形態２では、スリット５１ｄがガイド５１の円筒部５１ａの周壁に軸方向の一端から他端に至るように形成されているので、下記のようにブラシアッセンブリを組み立てることができる。
まず、ピグテール２６の一端をブラシ２１に接合し、ピグテール２６の他端をブラシバネ２７内を通してブラシターミナル２５に接合して、ブラシ２１、ピグテール２６およびブラシバネ２７を一体化する。ついで、ブラシバネ２７を収縮させてピグテール２６の一部を露呈させ、ピグテール２６の露呈部をスリット５１ｄを通して貫通穴５１ｃ内に挿入させる。その後、ブラシバネ２７を復元させると、ガイド５１の鍔部５１ｂがブラシバネ２７とブラシターミナル２５との間に挟持され、ガイド５１がブラシバネ２７内のブラシターミナル２５側に弾性支持されて配設され、ブラシアッセンブリが組み立てられる。
【００４１】
従って、この実施の形態２によれば、ガイド５１の後付が可能となる。そこで、ピグテール２６の他端をブラシターミナル２５に接合する際に、ブラシバネ２７のみをブラシ２１側に押し縮めればよく、ブラシアッセンブリの組み立て性が向上される。
【００４２】
なお、この実施の形態２においても、上記実施の形態１と同様にしてブラシアッセンブリを組み立ててもよいことはいうまでもないことである。
【００４３】
実施の形態３．
図１７はこの発明の実施の形態３に係る車両用交流発電機におけるブラシアッセンブリの構造を説明する図であり、図１７の（ａ）はブラシアッセンブリの装着前の状態を示し、図１７の（ｂ）はブラシアッセンブリの装着状態を示している。図１８はこの発明の実施の形態３に係る車両用交流発電機におけるブラシアッセンブリに適用されるガイドを示す断面図である。
【００４４】
図１８において、第１ガイド５２は、ナイロン（ｄｕ　Ｐｏｎｔ社の商標名）により作製され、円筒部５２ａと、円筒部５２ａの一端外周に延設された環状の鍔部５２ｂとから構成されている。この円筒部５２ａは、一定の肉厚に形成され、貫通穴５２ｃが、内径を一定として円筒部５２ａの軸心位置に構成されている。第２ガイド５３は、ナイロン（ｄｕ　Ｐｏｎｔ社の商標名）により作製され、円筒部５３ａと、円筒部５３ａの一端外周に延設された環状の鍔部５３ｂとから構成されている。この円筒部５３ａは、一定の肉厚に形成され、貫通穴５３ｃが、内径を一定として円筒部５３ａの軸心位置に構成されている。そして、第１ガイド５２の貫通穴５２ｂの内径が第２ガイド５３の円筒部５３ａの外径より大きく形成されている。なお、第１ガイド５２および第２ガイド５３によりガイド部材が構成されている。
【００４５】
ブラシアッセンブリ２４Ａは、図１７に示されるように、ピグテール２６がその両端をブラシ２１とブラシターミナル２５とに接合され、コイル状に成形されたブラシバネ２７がピグテール２６を内包するようにブラシ２１とブラシターミナル２５との間に縮設され、第１ガイド５２がブラシバネ２７内のブラシターミナル２５側に配設され、第２ガイド５３がブラシバネ２７内のブラシ２１側に配設されて構成されている。そして、鍔部５２ｂがブラシバネ２７とブラシターミナル２５との間に挟持され、鍔部５３ｂがブラシバネ２７とブラシ２１との間に挟持され、第１ガイド５２および第２ガイド５３が弾性支持されている。
なお、実施の形態３は、ガイド５０に代えて第１および第２ガイド５２、５３を用いている点を除いて、上記実施の形態１と同様に構成されている。
【００４６】
ブラシホルダ２２に装着前のブラシアッセンブリ２４Ａは、図１７の（ａ）に示されるように、ピグテール２６がブラシバネ２７の付勢力によりブラシ２１とブラシターミナル２５との間に張設され、第１および第２ガイド５２、５３が反鍔部側を対向させてブラシバネ２７内のブラシターミナル２５側およびブラシ２１側に配設されている。
そして、ブラシアッセンブリ２４Ａをブラシホルダ２２に装着する場合には、ブラシ２１をブラシホルダ２２のブラシ挿入穴２２ａに挿入し、ブラシターミナル２５を押圧する。これにより、ブラシバネ２７は第１ガイド５２および第２ガイド５３の円筒部５２ａ、５３ａを案内にして収縮する。そして、第１ガイド５２は、このブラシバネ２７の収縮に伴ってブラシ２１側に接近し、ついには第２ガイド５３を貫通穴５２ｃ内に収納する。そして、ピグテール２６は、図１７の（ｂ）に示されるように、ブラシバネ２７に収縮に伴って撓み、その撓み分が第１および第２ガイド５２、５３の貫通穴５２ｃ、５３ｃ内に納められる。
【００４７】
従って、この実施の形態３においても、上記実施の形態１と同様の効果が得られる。
また、径の異なる第１および第２ガイド５２、５３を対向させてブラシバネ２７内のブラシターミナル２５側およびブラシ２１側に配設しているので、ブラシターミナル２５側およびブラシ２１側のピグテール２６の撓み分がブラシバネ２７に噛み込むことが防止され、ピグテール２６の断線やブラシバネ２７の倒れの発生を防止することができる。
【００４８】
実施の形態４．
図１９はこの発明の実施の形態４に係る車両用交流発電機におけるブラシアッセンブリの構造を説明する図であり、図１９の（ａ）はブラシアッセンブリの装着前の状態を示し、図１９の（ｂ）はブラシアッセンブリの装着状態を示している。図２０はこの発明の実施の形態４に係る車両用交流発電機におけるブラシアッセンブリに適用されるガイドを示す断面図である。
【００４９】
図２０において、第１ガイド５４は、ナイロン（ｄｕ　Ｐｏｎｔ社の商標名）により作製され、円筒部５４ａと、円筒部５４ａの一端外周に延設された環状の鍔部５４ｂとから構成されている。この円筒部５４ａは、一定の肉厚に形成され、貫通穴５４ｃが、内径を一定として円筒部５４ａの軸心位置に構成されている。さらに、鍔部５４ｂの根元部から円筒部５４ａの他端に至るように形成されたスリット５４ｄが周方向に所定ピッチで形成されて構成されている。
第２ガイド５５は、ナイロン（ｄｕ　Ｐｏｎｔ社の商標名）により作製され、円筒部５５ａと、円筒部５５ａの一端外周に延設された環状の鍔部５５ｂとから構成されている。この円筒部５５ａは、一定の肉厚に形成され、貫通穴５５ｃが、内径を一定として円筒部５５ａの軸心位置に構成されている。さらに、鍔部５５ｂの根元部から円筒部５５ａの他端に至るように形成されたスリット５５ｄが周方向に所定ピッチで形成されて構成されている。
そして、第１ガイド５４および第２ガイド５５は同形状に形成されている。また、スリット５４ｄ、５５ｄの幅は、スリット５４ｄ、５５ｄにより画成された舌片５４ｅ、５５ｅの幅より大きくなっている。なお、第１ガイド５４および第２ガイド５５によりガイド部材が構成されている。
【００５０】
ブラシアッセンブリ２４Ｂは、図１９に示されるように、ピグテール２６がその両端をブラシ２１とブラシターミナル２５とに接合され、コイル状に成形されたブラシバネ２７がピグテール２６を内包するようにブラシ２１とブラシターミナル２５との間に縮設され、第１ガイド５４がブラシバネ２７内のブラシターミナル２５側に配設され、第２ガイド５５がブラシバネ２７内のブラシ２１側に配設されて構成されている。そして、鍔部５４ｂがブラシバネ２７とブラシターミナル２５との間に挟持され、鍔部５５ｂがブラシバネ２７とブラシ２１との間に挟持され、第１ガイド５４および第２ガイド５５が弾性支持されている。
なお、実施の形態４は、第１および第２ガイド５２、５３に代えて第１および第２ガイド５４、５５を用いている点を除いて、上記実施の形態３と同様に構成されている。
【００５１】
ブラシホルダ２２に装着前のブラシアッセンブリ２４Ｂは、図１９の（ａ）に示されるように、ピグテール２６がブラシバネ２７の付勢力によりブラシ２１とブラシターミナル２５との間に張設され、第１および第２ガイド５４、５５が反鍔部側を対向させてブラシバネ２７内のブラシターミナル２５側およびブラシ２１側に配設されている。なお、第１および第２ガイド５４、５５は、互いに周方向に所定ピッチずらして、スリット５４ｄ、５５ｄと舌片５５ｅ、５４ｄとが相対するように配設されている。
そして、ブラシアッセンブリ２４Ｂをブラシホルダ２２に装着する場合には、ブラシ２１をブラシホルダ２２のブラシ挿入穴２２ａに挿入し、ブラシターミナル２５を押圧する。これにより、ブラシバネ２７は第１ガイド５４および第２ガイド５５の円筒部５４ａ、５５ａを案内にして収縮する。一方、第１ガイド５４は、このブラシバネ２７の収縮に伴ってブラシ２１側に接近し、舌片５４ｅがスリット５５ｄ内に入り込み、また舌片５５ｅがスリット５４ｄ内に入り込む。そして、ピグテール２６は、図１９の（ｂ）に示されるように、ブラシバネ２７に収縮に伴って撓み、その撓み分が第１および第２ガイド５４、５５の貫通穴５４ｃ、５５ｃ内に納められる。
【００５２】
従って、この実施の形態４においても、上記実施の形態３と同様の効果が得られる。
また、第１および第２ガイド５４、５５が同形状に構成されているので、第１および第２ガイド５４、５５の貫通穴５４ｃ、５５ｃの内容積を大きくでき、ピグテール２６の撓み分を収納しやすくなる。
【００５３】
実施の形態５．
図２１はこの発明の実施の形態５に係る車両用交流発電機におけるブラシアッセンブリの構造を説明する図であり、図２１の（ａ）はブラシアッセンブリの装着前の状態を示し、図２１の（ｂ）はブラシアッセンブリの装着状態を示している。図２２はこの発明の実施の形態５に係る車両用交流発電機におけるブラシアッセンブリに適用されるガイドを示す断面図である。
【００５４】
図２２において、第１ガイド５６は、ナイロン（ｄｕ　Ｐｏｎｔ社の商標名）により作製され、他端に向かって先細り状の円筒部５６ａと、円筒部５６ａの一端外周に延設された環状の鍔部５６ｂとから構成されている。この円筒部５６ａは、一定の肉厚に形成され、貫通穴５６ｃが、内径を他端に向かって徐々に小さくするように円筒部５６ａの軸心位置に構成されている。
第２ガイド５７は、ナイロン（ｄｕ　Ｐｏｎｔ社の商標名）により作製され、他端に向かって先細り状の円筒部５７ａと、円筒部５７ａの他端外周に延設された環状の鍔部５７ｂとから構成されている。この円筒部５７ａは、一定の肉厚に形成され、貫通穴５７ｃが、内径を他端に向かって徐々に小さくするように円筒部５７ａの軸心位置に構成されている。
中間ガイド５８は、ナイロン（ｄｕ　Ｐｏｎｔ社の商標名）により作製され、他端に向かって先細り状の円筒部５８ａに構成されている。この円筒部５８ａは、一定の肉厚に形成され、貫通穴５８ｃが、内径を他端に向かって徐々に小さくするように円筒部５８ａの軸心位置に構成されている。
【００５５】
ここで、貫通穴５６ｃの他端の内径が円筒部５８ａの一端の外径より大きく、貫通穴５８ｃの他端の内径が円筒部５７ａの一端の外径より大きくなっている。そして、第１ガイド５６、中間ガイド５８および第２ガイド５７が中間ガイド５８を第１ガイド５６内に納め、第２ガイド５７を中間ガイド５８内に納めるように組み立てられる。これにより、中間ガイド５８が第１ガイド５６に挿出自在に組み込まれ、第２ガイド５７が中間ガイド５８に挿出自在に組み込まれ、全体として伸縮自在に構成されている。なお、第１ガイド５６、中間ガイド５８および第２ガイド５７によりガイド部材が構成されている。
【００５６】
ブラシアッセンブリ２４Ｃは、図２１に示されるように、ピグテール２６がその両端をブラシ２１とブラシターミナル２５とに接合され、コイル状に成形されたブラシバネ２７がピグテール２６を内包するようにブラシ２１とブラシターミナル２５との間に縮設され、第１ガイド５６がブラシバネ２７内のブラシターミナル２５側に配設され、第２ガイド５７がブラシバネ２７内のブラシ２１側に配設され、中間ガイド５８が一端を第１ガイド５６の貫通穴５６ｃ内に納められ、他端が第２ガイド５７の円筒部５７ａの一端を内包するように配設されて、構成されている。そして、鍔部５６ｂがブラシバネ２７とブラシターミナル２５との間に挟持され、鍔部５７ｂがブラシバネ２７とブラシ２１との間に挟持され、第１ガイド５４および第２ガイド５５が弾性支持されている。
なお、実施の形態５は、第１および第２ガイド５２、５３に代えて第１、第２および中間ガイド５６、５７、５８を用いている点を除いて、上記実施の形態３と同様に構成されている。
【００５７】
ブラシホルダ２２に装着前のブラシアッセンブリ２４Ｃは、図２１の（ａ）に示されるように、ピグテール２６がブラシバネ２７の付勢力によりブラシ２１とブラシターミナル２５との間に張設され、第１および第２ガイド５６、５７が反鍔部側を対向させてブラシバネ２７内のブラシターミナル２５側およびブラシ２１側に配設され、中間ガイド５８が第１および第２ガイド５６、５７を連結するように配設されている。
そして、ブラシアッセンブリ２４Ｃをブラシホルダ２２に装着する場合には、ブラシ２１をブラシホルダ２２のブラシ挿入穴２２ａに挿入し、ブラシターミナル２５を押圧する。これにより、ブラシバネ２７は第１ガイド５６、中間ガイド５８および第２ガイド５７の円筒部５６ａ、５８ａ、５７ａを案内にして収縮する。そして、第１ガイド５６は、このブラシバネ２７の収縮に伴って、中間ガイド５８を貫通穴５６ｃ内に収納しつつ、さらに第２ガイド５７を中間ガイド５８の貫通穴５８ｃ内に収納しつつブラシ２１側に接近する。そして、ピグテール２６は、図２１の（ｂ）に示されるように、ブラシバネ２７に収縮に伴って撓み、その撓み分が第１、中間および第２ガイド５６、５８、５７の貫通穴５６ｃ、５８ｃ、５７ｃ内に納められる。
【００５８】
従って、この実施の形態５においても、上記実施の形態３と同様の効果が得られる。
また、第１、中間および第２ガイド５６、５８、５７がブラシ２１とブラシターミナル２５との間に張設されたピグテール２６の全長を内包するように配設されているので、ピグテール２６の撓み分が確実に円筒部５６ｃ、５８ｃ、５７ｃ内に収納され、ピグテール２６のブラシバネ２７への噛み込みが確実に防止できる。
【００５９】
なお、上記実施の形態５では、第１、中間および第２ガイド５６、５８、５７の円筒部５６ａ、５８ａ、５７ａを他端に向かって先細り形状に形成するものとしているが、円筒部５６ａ、５８ａ、５７ａはそれぞれ径が一定の円筒状に形成してもよい。この場合、円筒部５６ａ、５８ａ、５７ａの径は円筒部５６ａ、５８ａ、５７ａの順に小さくし、円筒部５６ａの他端内壁面に係止突起を突設し、円筒部５８ａの一端外壁面に被係止突起を突設し、円筒部５８ａの他端内壁面に係止突起を突設し、円筒部５７ａの一端外壁面に被係止突起を突設すればよい。これにより、係止突起と被係止突起との係合により、伸長時の円筒部５８ａの円筒部５６ａからの抜けだし、および、円筒部５７ａの円筒部５８ａからの抜けだしが防止され、円筒部５６ａ、５８ａ、５７ａを径の大きい順に並べて連結して構成されたガイド部材の伸縮動作が確保される。
【００６０】
実施の形態６．
図２３はこの発明の実施の形態６に係る車両用交流発電機におけるブラシアッセンブリの装着方法を説明する図であり、図２３の（ａ）はブラシアッセンブリの装着前の状態を示し、図２３の（ｂ）はブラシアッセンブリの装着状態を示している。図２４はこの発明の実施の形態６に係る車両用交流発電機におけるブラシアッセンブリに適用されるガイドを示す断面図である。
【００６１】
図２４において、ガイド部材としてのガイド５９は、ナイロン（ｄｕ　Ｐｏｎｔ社の商標名）により作製され、円筒部５９ａと、円筒部５９ａの一端外周に延設された環状の鍔部５９ｂとから構成されている。この円筒部５９ａは、一定の肉厚に形成され、貫通穴５９ｃが、内径を一定として円筒部５９ａの軸心位置に構成されている。
ブラシアッセンブリ２４Ｄは、ピグテール２６がその両端をブラシ２１とブラシターミナル２５とに接合され、コイル状に成形されたブラシバネ２７がピグテール２６を内包するようにブラシ２１とブラシターミナル２５との間に縮設され、ガイド５９がブラシバネ２７内のブラシターミナル２５側に配設されて構成されている。そして、鍔部５９ｂがブラシバネ２７とブラシターミナル２５との間に挟持され、ガイド５９が弾性支持されている。
ここで、ガイド５９は、未使用のブラシ２１を用いたブラシアッセンブリ２４Ｄをブラシホルダ２２に組み込んだ状態おけるブラシ２１とブラシターミナル２５との距離より短い長さに形成されている。
【００６２】
この実施の形態６では、ブラシアッセンブリ２４Ｄは、図２３の（ａ）に示されるように、ブラシ挿入穴２２ａに挿入前に、ブラシ２１がガイド５９の他端に当接するようにブラシバネ２７を収縮させた状態で、紐６０でブラシ２１とブラシターミナル２５とを締着する。これにより、ブラシバネ２７はガイド５９の長さの収縮状態に維持され、ピグテール２６の撓み分がガイド５９の貫通穴５９ｃ内に納められている。
そして、紐６０で締着されたブラシアッセンブリ２４Ｄのブラシ２１をブラシ挿入穴２２ａ内に挿入する。この時、ブラシ２１の先端からブラシターミナル２５までの長さがブラシ挿入穴２２ａの穴深さより短いので、ブラシ２１の先端がスリップリング９に当たることなく、ブラシターミナル２５がターミナル２３上に載置する。そこで、ブラシターミナル２５の穴２５ａをターミナル２３のねじ穴２３ａに合わせて、ねじ２８をねじ穴２３ａに締着する。その後、紐６０を解いてブラシバネ２７の収縮状態を解き、紐６０を抜き取る。これにより、ブラシバネ２７が図２３の（ｂ）に示されるように復元し、ブラシ２１がこのブラシバネ２７の復元力によりスリップリング９に当接し、ブラシアッセンブリ２４Ｄがブラシホルダ２２に組み込まれる。
【００６３】
この実施の形態６によれば、ブラシアッセンブリ２４Ｄをブラシ挿入穴２２ａに挿入する前に、ブラシアッセンブリ２４Ｄの軸方向の両側からブラシ２１とブラシターミナル２５とを接近するように押圧してブラシバネ２７を収縮させ、ブラシバネ２７の収縮状態を維持しつつ紐６０でブラシ２１とブラシターミナル２５とを締着している。そこで、ブラシバネ２７を広い作業スペースでブラシバネ２７を収縮させることができ、ブラシバネ２７はガイド５９の円筒部５９ａに案内されてスムーズに収縮し、ブラシバネ２７の倒れやピグテール２６のブラシバネ２７への噛み込みを防止することができる。
【００６４】
また、ブラシアッセンブリ２４Ｄをブラシ挿入穴２２ａに挿入する前に、ブラシバネ２７を収縮させた状態でブラシ２１とブラシターミナル２５とを紐６０で締着している。そこで、ピグテール２６が張設されたブラシアッセンブリのブラシ２１をブラシ挿入穴２２ａに挿入した状態でのブラシバネ２７の収縮工程に起因するブラシバネ２７の倒れやピグテール２６のブラシバネ２７への噛み込みがなくなる。また、ブラシ２１、ブラシターミナル２５およびブラシバネ２７が紐６０により締着一体化されているので、ブラシ２１のブラシ挿入穴２２ａへの挿入およびねじ２８による締着が容易にできる。これにより、ブラシアッセンブリ２４Ｅの装着作業性が著しく向上される。
【００６５】
なお、この実施の形態６では、ブラシアッセンブリ２４Ｄの装着方法について説明しているが、この装着方法は、上記実施の形態１〜５によるブラシアッセンブリに適用してもよいことはいうまでもないことである。
【００６６】
実施の形態７．
図２５はこの発明の実施の形態７に係る車両用交流発電機におけるブラシアッセンブリの装着方法を説明する図であり、図２５の（ａ）はブラシアッセンブリの装着前の状態を示し、図２５の（ｂ）はブラシアッセンブリの装着状態を示している。
【００６７】
図２５において、ブラシアッセンブリ２４Ｅは、ピグテール２６の一端が穴２５ｃから引き出された後、折り返されて方向を変えてブラシ２１側に向いて切り起こし片２５ｂに接合され、その他端がブラシ２１に接合され、コイル状に成形されたブラシバネ２７がピグテール２６を内包するようにブラシ２１とブラシターミナル２５との間に縮設されて構成されている。
【００６８】
この実施の形態７では、ブラシアッセンブリ２４Ｅは、図２５の（ａ）に示されるように、ブラシ挿入穴２２ａに挿入前に、ピグテール２６の一端側をブラシターミナル２５の穴２５ｃから引っ張り出してブラシバネ２７を収縮させる。この時、ブラシバネ２７は、ブラシアッセンブリ２４Ｅのブラシ２１をブラシ挿入穴２２ａに挿入したときに、ブラシ２１の先端がスリップリング９に当たることなく、ブラシターミナル２５がターミナル２３上に載置されるような長さに収縮されることになる。
ついで、ブラシバネ２７を収縮させた状態で、ブラシアッセンブリ２４Ｅのブラシ２１をブラシ挿入穴２２ａ内に挿入し、ブラシターミナル２５をターミナル２３上に載置する。そこで、ブラシターミナル２５の穴２５ａをターミナル２３のねじ穴２３ａに合わせて、ねじ２８をねじ穴２３ａに締着する。その後、ピグテール２６の引っ張りを解く。これにより、ブラシバネ２７が図２５の（ｂ）に示されるように復元し、ピグテール２６がこのブラシバネ２７の復元力により穴２５ｃを通ってブラシバネ２７内に引き込まれ、ブラシ２１がスリップリング９に当接し、ブラシアッセンブリ２４Ｅがブラシホルダ２２に組み込まれる。
【００６９】
この実施の形態７によれば、ブラシアッセンブリ２４Ｅをブラシ挿入穴２２ａに挿入する前に、ピグテール２６の一端側をブラシターミナル２５の穴２５ｃから引っ張り出してブラシバネ２７を収縮させているので、ピグテール２６のブラシバネ２７への噛み込みが確実に防止される。
また、ブラシバネ２７を収縮させた状態で、ブラシアッセンブリ２４Ｅのブラシ２１をブラシ挿入穴２２ａに挿入するので、ピグテール２６が張設されたブラシアッセンブリのブラシ２１をブラシ挿入穴２２ａに挿入した状態でのブラシバネ２７の収縮工程に起因するブラシバネ２７の倒れやピグテール２６のブラシバネ２７への噛み込みがなく、ブラシ２１のブラシ挿入穴２２ａへの挿入、ねじ２８による締着が容易にできるようになり、ブラシアッセンブリ２４Ｅの装着作業性が著しく向上される。
【００７０】
また、ピグテール２６の一端は、穴２５ｃから引き出された後、折り返されて方向を変えてブラシ２１側に向いて切り起こし片２５ｂに接合されているので、ブラシアッセンブリ２４Ｅがブラシホルダ２２に組み付けられた状態では、ピグテール２６の剛性によりピグテール２６の他端側は、図２５の（ｂ）に示されるように、ブラシターミナル２５の外側に延出している。そこで、ピグテール２６の撓み分がブラシターミナル２５から延出しているので、ピグテール２６のブラシバネ２６への噛み込みが防止される。
また、ピグテール２６の一端をブラシ２１側に向けて切り起こし片２５ｃに接合されているので、ピグテール２６をブラシターミナル２５の穴２５ｃから容易に引っ張り出すことができる。
【００７１】
なお、この実施の形態７では、ブラシアッセンブリ２４Ｅの装着方法について説明しているが、この装着方法は、上記実施の形態１〜６によるブラシアッセンブリに適用してもよいことはいうまでもないことである。
【００７２】
実施の形態８．
図２６はこの発明の実施の形態８に係る車両用交流発電機におけるブラシアッセンブリの装着方法を説明する図であり、図２６の（ａ）はブラシアッセンブリのブラシバネ押圧前の状態を示し、図２６の（ｂ）はブラシアッセンブリの装着状態を示している。
【００７３】
図２６において、ガイド部材としてのパイプ６１はブラシターミナル２５の穴２５ｃから挿入可能な径を有し、ブラシバネ２７の収縮を案内する。押し込み治具６２は、金属製のブロックであり、パイプ６１を挿通する貫通穴６２ａが穿設され、ねじ穴６２ｂが貫通穴６２ａと外部とを連通するように形成されている。ブラシアッセンブリ２４Ｆは、ピグテール２６の一端が反ブラシ２１側に向いて切り起こし片２５ｂに接合され、その他端がブラシ２１に接合され、コイル状に成形されたブラシバネ２７がピグテール２６を内包するようにブラシ２１とブラシターミナル２５との間に縮設されて構成されている。
【００７４】
この実施の形態８では、図２６の（ａ）に示されるように、ブラシアッセンブリ２４Ｆのブラシ２１をブラシ挿入穴２２ａに挿入した状態で、パイプ６１が穴２５ｃからブラシバネ２７内に挿入される。そして、ブラシターミナル２５から延出するパイプ６１の延出部を貫通孔６２ａに通して押し込み治具６２を装着する。ついで、押し込み治具６２をブラシターミナル２５に宛ってパイプ６１を案内にしてブラシ２１側に押圧し、ブラシターミナル２５をターミナル２３に当接させる。これにより、ブラシバネ２７はパイプ６１を案内にして収縮する。
そこで、図２６の（ｂ）に示されるように、押し込み治具６２のねじ穴６２ｂに螺着されている固定ねじ６３を締め付け、パイプ６１を固定する。ついで、ねじ２８を穴２５ｂを通してねじ穴２３ａに締着する。その後、押し込み治具６２をパイプ６１とともに引き抜き、ブラシアッセンブリ２４Ｆがブラシホルダ２２に組み込まれる。
【００７５】
この実施の形態８によれば、ブラシアッセンブリ２４Ｆのブラシターミナル２５をブラシ２１側に押圧する前に、ポール６１をブラシターミナル２５の穴２５ｃからブラシバネ２７内に挿入しているので、ブラシターミナル２５をブラシ２１側に押圧する過程で、ブラシバネ２７がポール６１に案内されてスムーズに圧縮し、ブラシバネ２７の倒れが確実に阻止される。
【００７６】
なお、上記各実施の形態では、各ガイドがナイロンで作製されているものとしているが、ガイドはブラシバネ２７の収縮を案内し、かつ、ピグテール２６の撓み分を収納できる機能を有していればよく、他の樹脂を用いてもよく、金属材料を用いてもよい。
また、上記各実施の形態では、車両用交流発電機について説明しているが、本発明は、交流電動機、交流電動発電機等の回転電機に適用しても同様の効果を奏する。
【００７７】
【発明の効果】
この発明は、以上のように構成されているので、以下に記載されるような効果を奏する。
【００７８】
この発明によれば、ケースと、このケースに両端を回転自在に支持されたシャフトと、このシャフトに固定され、上記ケース内に回転自在に配設された回転子と、上記シャフトに固定されたスリップリングと、上記回転子を囲繞するように上記ケースに固定された固定子と、ブラシ挿入穴が貫通して設けられ、ターミナルが該ブラシ挿入穴の開口縁部に設けられ、かつ、蓋が頭部に装着され、該ブラシ挿入穴の穴方向を上記シャフトの軸方向と直交するように上記ケース内に配設されたブラシホルダと、上記ブラシホルダに装着されたブラシアッセンブリと、上記蓋と対向する上記ケースの部位に形成された開口部と、上記開口部を塞口するキャップとを備えた回転電機において、上記ブラシアッセンブリは、ブラシとブラシターミナルとがピグテールを介して連結され、ブラシバネが上記ブラシと上記ブラシターミナルとの間に縮設され、かつ、上記ブラシバネの伸縮を案内するガイド部材が上記ブラシバネの内部に配設されて構成され、上記ブラシが上記ブラシ挿入穴内に収納され、上記ブラシターミナルが上記ターミナルに固定されて、上記ブラシが上記ブラシバネの付勢力により上記スリップリングに当接しているので、ブラシアッセンブリの取付時のブラシバネの倒れやピグテールの撓み分のブラシバネへの噛み込みが抑えられ、ブラシアッセンブリのブラシホルダへの取付作業性を向上させることができる回転電機が得られる。
【００７９】
また、上記ガイド部材は、上記ピグテールを内部に通してその一端を上記ブラシターミナルに接するように配設された円筒状の第１ガイドを備えているので、ブラシアッセンブリの取付時、ブラシホルダのブラシ挿入穴から延出するブラシバネの部位が第１ガイドに案内されて収縮し、ブラシバネの倒れが防止される。
【００８０】
また、上記第１ガイドは、内径が一端から他端に向かって漸次大きくなるように形成されているので、ブラシバネの収縮過程で発生するピグテールの撓み分が第１ガイド内にスムーズに納められる。
【００８１】
また、上記第１ガイドは、スリットが一端から他端に至るように形成された断面Ｃ状に構成されているので、第１ガイドのブラシアッセンブリへの装着が容易となる。
【００８２】
また、上記ガイド部材は、上記ピグテールを内部に通してその一端を上記ブラシに接するように配設された第２ガイドを備えているので、ブラシバネの収縮過程で発生するピグテールのブラシ側の撓み分が第２ガイド内に納められる。
【００８３】
また、上記第１ガイドの内径が上記第２ガイドの外径より大径に形成されているので、ブラシバネの収縮過程で第１ガイドが第２ガイドを収納し、ブラシバネを所定長さまで圧縮することができる。
【００８４】
また、上記第１および第２ガイドは、一端側から他端に至るように形成されたスリットが周方向に複数形成され、上記ブラシバネの収縮状態で、該第２ガイドのスリット間に形成された各舌片が該第１ガイドの各スリットに挿入され、かつ、該第１ガイドのスリット間に形成された各舌片が該第２ガイドの各スリットに挿入されるように配設されているので、ブラシバネの収縮過程で第１ガイドと第２ガイドとがかみあってブラシ挿入穴の穴方向長さが縮小し、ブラシバネを所定長さまで圧縮することができる。
【００８５】
また、上記ガイド部材は、径の異なる複数のガイドを径の大きい順に配列・連結して伸縮自在に構成され、最大径のガイドを上記ブラシターミナルおよび上記ブラシの一方に接するように、かつ、最小径のガイドを上記ブラシターミナルおよび上記ブラシの他方に接するように上記ブラシターミナルと上記ブラシとの間に配設されているので、ピグテールの全長にわたってガイド部材が配設され、ピグテールの撓み分のブラシバネへの噛み込みが防止できる。
【００８６】
また、上記ブラシターミナルが磁化されたねじにより上記ターミナルに締着固定されているので、ブラシアッセンブリの交換時に、ねじがケース内に落下することが防止される。
【００８７】
また、ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、上記ブラシと上記ブラシターミナルとの距離を縮めて上記ブラシバネを所定長さの収縮状態とする工程と、上記ブラシバネを所定長さの収縮状態に維持して、上記ブラシを上記ブラシホルダのブラシ挿入穴に挿入する工程と、上記ブラシターミナルを上記ブラシホルダのターミナルに固定した後、上記ブラシバネの所定長さの収縮状態を解く工程とを備えているので、ブラシアッセンブリのブラシホルダへの取付時におけるブラシバネの倒れを防止し、取付作業性を向上できるラシアッセンブリのブラシホルダへの取付方法が得られる。
【００８８】
また、上記ブラシと上記ブラシターミナルとを紐で結んで上記ブラシバネの所定長さの収縮状態を維持するようにしたので、ブラシアッセンブリが一体化され、ブラシのブラシ挿入穴への挿入が容易となる。
【００８９】
また、上記ブラシターミナルは穴および該穴の縁部に起立した接合片を有し、上記ピグテールの一端が上記ブラシ側から穴を通して折り返され、該ブラシ側に向けて上記接合片に接合されており、上記ピグテールの一端側を上記ブラシターミナルの上記穴から引っ張り出して上記ブラシバネを所定長さの収縮状態にするので、ブラシバネを簡易に所定長さの収縮状態にすることができる。
【００９０】
また、上記ブラシバネの収縮を案内するガイド部材が上記ブラシバネ内部に配設されているので、ブラシバネがスムーズに収縮される。
【００９１】
また、ブラシバネがブラシとブラシターミナルとの間に縮設され、ピグテールが上記ブラシバネの付勢力により上記ブラシと上記ブラシターミナルとの間に張設されているブラシアッセンブリを回転電機に取り付けられたブラシホルダに取り付ける方法であって、上記ピグテールが張設された状態の上記ブラシアッセンブリの上記ピグテールと上記ブラシバネとの間にガイド部材を挿入する工程と、上記ブラシを上記ブラシホルダのブラシ挿入穴に挿入する工程と、上記ガイド部材を案内にして上記ブラシターミナルを押圧し、該ブラシターミナルを上記ブラシホルダのターミナルに当接させた後、該ブラシターミナルを該ブラシホルダのターミナルに固定する工程とを備えているので、ブラシアッセンブリのブラシホルダへの取付時におけるブラシバネの倒れが防止され、取付作業性を向上できるラシアッセンブリのブラシホルダへの取付方法が得られる。
【図面の簡単な説明】
【図１】この発明の実施例１に係る車両用交流発電機を示す縦断面図である。
【図２】この発明の実施例１に係る車両用交流発電機の内部のリヤブラケット側を示す一部破断平面図である。
【図３】この発明の実施例１に係る車両用交流発電機に適用されるブラシ保持装置の蓋取り外し状態を示す平面図である。
【図４】この発明の実施例１に係る車両用交流発電機に適用されるブラシ保持装置を示す平面図である。
【図５】この発明の実施例１に係る車両用交流発電機に適用されるブラシ保持装置を示す一部破断正面図である。
【図６】この発明の実施例１に係る車両用交流発電機に適用されるブラシ保持装置のブラシアッセンブリを示す正面図である。
【図７】この発明の実施例１に係る車両用交流発電機に適用されるブラシ保持装置のブラシアッセンブリの未挿入状態を示す一部破断側面図である。
【図８】この発明の実施例１に係る車両用交流発電機に適用されるブラシ保持装置のブラシアッセンブリの挿入状態を示す一部破断側面図である。
【図９】この発明の実施例１に係る車両用交流発電機に適用されるブラシアッセンブリに装着されるガイドを示す断面図である。
【図１０】この発明の実施例１に係る車両用交流発電機に適用されるキャップを示す平面図である。
【図１１】図１０に示されるキャップをＡ方向から見た側面図である。
【図１２】図１０に示されるキャップをＢ方向から見た側面図である。
【図１３】この発明の実施例１に係る車両用交流発電機のリヤブラケットのキャップ装着状態を示す斜視図である。
【図１４】この発明の実施例１に係る車両用交流発電機のリヤブラケットのキャップ取り外し状態を示す斜視図である。
【図１５】ブラシアッセンブリの装着時におけるブラシバネ倒れ状態を説明する図である。
【図１６】この発明の実施の形態２に係る車両用交流発電機のブラシアッセンブリに適用されるガイドの構造を説明する図である。
【図１７】この発明の実施の形態３に係る車両用交流発電機におけるブラシアッセンブリの構造を説明する図である。
【図１８】この発明の実施の形態３に係る車両用交流発電機におけるブラシアッセンブリに適用されるガイドを示す断面図である。
【図１９】この発明の実施の形態４に係る車両用交流発電機におけるブラシアッセンブリの構造を説明する図である。
【図２０】この発明の実施の形態４に係る車両用交流発電機におけるブラシアッセンブリに適用されるガイドを示す断面図である。
【図２１】この発明の実施の形態５に係る車両用交流発電機におけるブラシアッセンブリの構造を説明する図である。
【図２２】この発明の実施の形態５に係る車両用交流発電機におけるブラシアッセンブリに適用されるガイドを示す断面図である。
【図２３】この発明の実施の形態６に係る車両用交流発電機におけるブラシアッセンブリの装着方法を説明する図である。
【図２４】この発明の実施の形態６に係る車両用交流発電機におけるブラシアッセンブリに適用されるガイドを示す断面図である。
【図２５】この発明の実施の形態７に係る車両用交流発電機におけるブラシアッセンブリの装着方法を説明する図である。
【図２６】この発明の実施の形態８に係る車両用交流発電機におけるブラシアッセンブリの装着方法を説明する図である。
【図２７】従来の車両用交流発電機のブラシ保持装置周りを示す縦断面図である。
【図２８】従来の車両用交流発電機のブラシ保持装置周りを示す平面図である。
【図２９】従来のブラシ保持装置に適用されるブラシアッセンブリを示す斜視図である。
【符号の説明】
３　ケース、６　シャフト、７　回転子、８　固定子、９　スリップリング、２１　ブラシ、２２　ブラシホルダ、２２ａ　ブラシ挿入穴、２３　ターミナル、２４、２４Ａ、２４Ｂ、２４Ｃ、２４Ｄ、２４Ｅ、２４Ｆ　ブラシアッセンブリ、２５　ブラシターミナル、２５ｂ　切り起こし片（接合片）、２５ｃ　穴、２６　ピグテール、２７　ブラシバネ、２８　ねじ、２９　蓋、３０　開口部、４０　キャップ、５０　ガイド（ガイド部材）、５１　ガイド（ガイド部材）、５１ｄ：スリット、５２　第１ガイド（ガイド部材）、５３　第２ガイド（ガイド部材）、５４　第１ガイド（ガイド部材）、５４ｄ　スリット、５４ｅ　舌片、５５　第２ガイド（ガイド部材）、５５ｄ　スリット、５５ｅ　舌片、５６　第１ガイド（ガイド部材）、５７　第２ガイド（ガイド部材）、５８　中間ガイド（ガイド部材）、５９　ガイド（ガイド部材）、６０　紐、６１　パイプ（ガイド部材）。
【図１】
2004023812.tif 000003
【図２】
2004023812.tif 000004
【図３】
2004023812.tif 000005
【図４】
2004023812.tif 000006
【図５】
2004023812.tif 000007
【図６】
2004023812.tif 000008
【図７】
2004023812.tif 000009
【図８】
2004023812.tif 000010
【図９】
2004023812.tif 000011
【図１０】
2004023812.tif 000012
【図１１】
2004023812.tif 000013
【図１２】
2004023812.tif 000014
【図１３】
2004023812.tif 000015
【図１４】
2004023812.tif 000016
【図１５】
2004023812.tif 000017
【図１６】
2004023812.tif 000018
【図１７】
2004023812.tif 000019
【図１８】
2004023812.tif 000020
【図１９】
2004023812.tif 000021
【図２０】
2004023812.tif 000022
【図２１】
2004023812.tif 000023
【図２２】
2004023812.tif 000024
【図２３】
2004023812.tif 000025
【図２４】
2004023812.tif 000026
【図２５】
2004023812.tif 000027
【図２６】
2004023812.tif 000028
【図２７】
2004023812.tif 000029
【図２８】
2004023812.tif 000030
【図２９】
2004023812.tif 000031